(57)【要約】    【課題】  打球感を向上しかつ打球の方向性を安定させるのに役立つパター型ゴルフクラブヘッドを提供する。    【解決手段】  ボールを打球するフェース面Ｆを有したパター型ゴルフクラブヘッド１であって、フェース面Ｆを有したヘッド本体２と、該ヘッド本体２の背面側に固着されかつヘッド後方にのびる複数本の棒状部材３とを含み、前記棒状部材３は、前記ヘッド本体２よりも比重が大きい高比重材料からなり、しかもトウ側に設けられたトウ側の棒状部材３ｔと、ヒール側に設けられたヒール側の棒状部材３ｈと、これらの間に設けられた中間の棒状部材３ｃとを含むことを特徴とする。【選択図】  図１
2006075430.tif 000002
【特許請求の範囲】
【請求項１】
ボールを打球するフェース面を有したパター型ゴルフクラブヘッドであって、
前記フェース面を有したヘッド本体と、該ヘッド本体の背面側に固着されかつヘッド後方にのびる複数本の棒状部材とを含み、
前記棒状部材は、前記ヘッド本体よりも比重が大きい高比重材料からなり、しかもトウ側に設けられたトウ側の棒状部材と、ヒール側に設けられたヒール側の棒状部材と、これらの間に設けられた中間の棒状部材とを含むことを特徴とするパター型ゴルフクラブヘッド。
【請求項２】
前記各棒状部材は、前記ヘッド本体の背面から後端までの突出長さが下記の関係を満足することを特徴とする請求項１記載のパター型ゴルフクラブヘッド。
０．６≦Ｌｔ／Ｌｃ≦４．０
０．６≦Ｌｈ／Ｌｃ≦４．０
（ただし、Ｌｔはトウ側の棒状部材の突出長さ（mm）、Ｌｃは中間の棒状部材の突出長さ（mm）及びＬｈはヒール側の棒状部材の突出長さ（mm）である。）
【請求項３】
前記各棒状部材は、前記ヘッド本体の背面から後端までの突出部重量が下記の関係を満足することを特徴とする請求項１記載のパター型ゴルフクラブヘッド。
０．６≦Ｗｔ／Ｗｃ≦４．０
０．６≦Ｗｈ／Ｗｃ≦４．０
（ただし、Ｗｔはトウ側の棒状部材の突出部重量（ｇ）、Ｗｃは中間の棒状部材の突出部重量（ｇ）及びＷｈはヒール側の棒状部材の突出部重量（ｇ）である。）
【請求項４】
前記トウ側の棒状部材及びヒール側の棒状部材は、各々の突出長さが、前記中間の棒状部材の突出長さよりも大きく、かつ前記トウ側の棒状部材及びヒール側の棒状部材の後端が、前記中間の棒状部材の後端よりもヘッド後方にあることを特徴とする請求項１乃至３のいずれかに記載のパター型ゴルフクラブヘッド。
【請求項５】
前記トウ側及びヒール側の棒状部材の突出部重量の重心は、前記中間の棒状部材の突出部重量の重心よりもソール側にあることを特徴とする請求項３に記載のパター型ゴルフクラブヘッド。
【発明の詳細な説明】
【技術分野】
【０００１】
本発明は、打球感を向上しかつ打球の方向性を安定させるのに役立つパター型ゴルフクラブヘッドに関する。
【背景技術】
【０００２】
従来、打球の方向性を高めるために、慣性モーメントや重心深度等を大きくしたパター型ゴルフクラブヘッドが種々提案されている（下記特許文献１参照）。慣性モーメントを大きくするために、例えばトウ側及びヒール側により多くの重量を配分したヘッドが知られている。しかしながら、このようなヘッドは、フェースの中央部が相対的に軽量化される結果、打球時に振動しやすくなる。その結果、ボールの打球時に、プレーヤの手に伝わる衝撃が大きくなり、打球感を損ねるという欠点がある。また、フェースの様々な打点によって、反発性にバラツキが生じやすく、ひいては打球位置毎の転がり距離のバラツキが大きいという欠点があった。
【０００３】
【特許文献１】特開平３−１７０１７５号公報
【発明の開示】
【発明が解決しようとする課題】
【０００４】
本発明は、以上のような実情に鑑み案出なされたもので、フェース面を有するヘッド本体の背面側に、該ヘッド本体よりも比重が大きい高比重材料からなるトウ側の棒状部材、ヒール側に設けられたヒール側の棒状部材及びこれらの間に設けられた中間の棒状部材を固着することを基本として、打球の方向性と飛距離とを安定させるのみならず、打球時の衝撃を緩和して打球感をも向上しうるパター型ゴルフクラブヘッドを提供することを目的としている。
【課題を解決するための手段】
【０００５】
本発明のうち請求項１記載の発明は、ボールを打球するフェース面を有したパター型ゴルフクラブヘッドであって、前記フェース面を有したヘッド本体と、該ヘッド本体の背面側に固着されかつヘッド後方にのびる複数本の棒状部材とを含み、前記棒状部材は、前記ヘッド本体よりも比重が大きい高比重材料からなり、しかもトウ側に設けられたトウ側の棒状部材と、ヒール側に設けられたヒール側の棒状部材と、これらの間に設けられた中間の棒状部材とを含むことを特徴としている。
【０００６】
また請求項２記載の発明は、前記各棒状部材は、前記ヘッド本体の背面から後端までの突出長さが下記の関係を満足することを特徴とする請求項１記載のパター型ゴルフクラブヘッドである。０．６≦Ｌｔ／Ｌｃ≦４．００．６≦Ｌｈ／Ｌｃ≦４．０
（ただし、Ｌｔはトウ側の棒状部材の突出長さ（mm）、Ｌｃは中間の棒状部材の突出長さ（mm）及びＬｈはヒール側の棒状部材の突出長さ（mm）である。）
【０００７】
また請求項３記載の発明は、前記各棒状部材は、前記ヘッド本体の背面から後端までの突出部重量が下記の関係を満足することを特徴とする請求項１記載のパター型ゴルフクラブヘッドである。０．６≦Ｗｔ／Ｗｃ≦４．００．６≦Ｗｈ／Ｗｃ≦４．０
（ただし、Ｗｔはトウ側の棒状部材の突出部重量（ｇ）、Ｗｃは中間の棒状部材の突出部重量（ｇ）及びＷｈはヒール側の棒状部材の突出部重量（ｇ）である。）
【０００８】
また請求項４記載の発明は、前記トウ側の棒状部材及びヒール側の棒状部材は、各々の突出長さが、前記中間の棒状部材の突出長さよりも大きく、かつ前記トウ側の棒状部材及びヒール側の棒状部材の後端が、前記中間の棒状部材の後端よりもヘッド後方にあることを特徴とする請求項１乃至３のいずれかに記載のパター型ゴルフクラブヘッドである。
【０００９】
また請求項５記載の発明は、前記トウ側及びヒール側の棒状部材の突出部重量の重心は、前記中間の棒状部材の突出部重量の重心よりもソール側にあることを特徴とする請求項３に記載のパター型ゴルフクラブヘッドである。
【発明の効果】
【００１０】
本発明のパター型ゴルフクラブヘッドは、フェース面を有したヘッド本体と、その背面側に固着されかつヘッド後方にのびる複数本の棒状部材とを含む。棒状部材は、比重がヘッド本体よりも大きい高比重材料で構成されており、しかもトウ側に設けられたトウ側の棒状部材と、ヒール側に設けられたヒール側の棒状部材と、これらの間に設けられた中間の棒状部材とを含む。
【００１１】
このような棒状部材は、ヘッド重量を過度に増大させることなく、慣性モーメントや重心深度を大きくでき、打点のバラツキによる方向性や転がり距離のバラツキを防止しうる。また、棒状部材が、トウ側、ヒール側及びそれらの間にそれぞれ分散して設けられるため、フェース面を均一に補強でき、打点が変化した場合でも、ヘッドの衝撃を満遍なく吸収、緩和して良好な打球感を提供しうる。
【発明を実施するための最良の形態】
【００１２】
以下、本発明の実施の一形態を図面に基づき説明する。
図１及び図２は、本実施形態のパター型ゴルフクラブヘッド（以下、単に「ヘッド」という。）１の基準状態の斜視図、図３はその平面図、図４（Ａ）は正面図、図４（Ｂ）は背面図、図５は側面図をそれぞれ示す。前記ヘッド１は、ボールを打球するフェース面Ｆを有したヘッド本体２と、該ヘッド本体２の背面側に固着されかつヘッド後方にのびる複数本の棒状部材３とを含んで構成される。
【００１３】
前記ヘッド本体２は、フェース面Ｆが前面に設けられた略直方体状をなす主部４と、該主部４からヘッド後方にのびる薄板状の副部５とを一体に具えるものが例示される。
【００１４】
前記主部４は、前記フェース面Ｆと、このフェース面Ｆの上縁に連なってヘッド上面部分をなすトップ面４ａと、フェース面Ｆの下縁に連なりヘッド底面部分をなすソール面４ｂと、前記フェース面Ｆのトウ側縁に連なってトウ側の側面を形成するトウ面４ｃと、前記フェース面Ｆのヒール側縁に連なってヒール側の側面を形成するヒール面４ｄと、前記フェース面と反対側の位置した背面４ｅとで囲まれた略直方体状で形成される。トップ面４ａには、シャフトＳ（図４に示す）が差し込まれるシャフト差込孔４ｆが設けられている。また背面４ｅには、棒状部材３が挿入されかつ固着される複数個の取付孔６が設けられる。
【００１５】
前記副部５は、本実施形態では主部４の背面４ｅからヘッド後方にのびるものが示される。本実施形態の副部５は、トウ、ヒール方向のほぼ中央に位置している中央部分５ｃと、そのトウ側に連なるトウ側部分５ｔと、前記中央部分５ｃのヒール側に連なるヒール側部分５ｈとを含む。このような副部５は、ヘッド本体４の重心をヘッド後方に位置させるのに役立つ。
【００１６】
また副部５の中央部分５ｃは、比較的小さい厚さを有し、主部４の背面４ｅの比較的低い位置からヘッド後方へとのびている。主部のソール面４ｂは、この中央部分５ｃの底面と滑らかに連なっている。またトウ側部分５ｔ及びヒール側部分５ｈは、中央部分５ｃよりもヘッド後方への長さが小さく形成されている。さらに、トウ側部分５ｔ及びヒール側部分５ｈは、図２に示されるように、後述する棒状部材３に沿って凹む凹部９により、上下に二股状に分岐して外方にのびる部分を含む。これにより、ヘッド本体２と棒状部材３との干渉が防止される。
【００１７】
本実施形態のヘッド本体２は、全てが金属材料で構成され、例えばアルミニウム合金、ステンレス鋼、マレージング鋼、チタン合金、炭素鋼などが好適である。特に好ましくは、比重が３．２以下、より好ましくは３．０以下、さらに好ましくは２．８以下の金属材料が望ましい。これにより、ヘッド本体２は、重量を低減しつつ十分に大きい体積を持つことができる。他方、ヘッド本体２の材料の比重が小さすぎても、強度や慣性モーメントの低下を招きやすい。このような観点より、前記比重は、好ましくは１．０以上、より好ましくは１．２以上、さらに好ましくは１．４以上が望ましい。また、ヘッド本体２は、その一部、例えばフェース面Ｆの一部に樹脂やゴムなどの非金属材料が用いられた複合体でも良い。
【００１８】
前記棒状部材３は、ヘッド本体２よりも比重が大きい高比重材料から作られ、しかもトウ側に設けられたトウ側の棒状部材３ｔと、ヒール側に設けられたヒール側の棒状部材３ｈと、これらの棒状部材３ｔ及び３ｈの間に設けられた中間の棒状部材３ｃとの３本を含んでいる。
【００１９】
図３に示されるように、ヘッド１を基準状態に保持し、ヘッド１のトウ、ヒール方向の最大長さＦＬを三等分することにより、該ヘッド１をトウ側領域Ｔ、ヒール側部領域Ｈ及びこれらの間の中間領域Ｃに仮想区分した場合、トウ側領域Ｔには前記トウ側の棒状部材３ｔが、ヒール側領域Ｈには前記ヒール側の棒状部材３ｈが、中間領域Ｃには前記中間の棒状部材３ｃがそれぞれ設けられる。本実施形態では、中間の棒状部材３ｃは、トウ側の棒状部材３ｔと、ヒール側の棒状部材３ｈのほぼ中間に設けられている。
【００２０】
ここで前記基準状態とは、水平面ＨＰに対するヘッド１の位置を一義的に定めるもので、本明細書では、ヘッド１のシャフト軸線ＳＬを任意の基準垂直面ＶＰ１内に配し、かつ図４に示されるように、ソール面のトウ端４ｂｔと間の水平面ＨＰとの垂直距離Ａ１を、ソール面のヒール端４ｂｈと水平面ＨＰとの間の垂直距離Ａ２に等しく調節して接地させ、しかもフェース面ＦのスイートスポットＳＳに接する水平な接線Ｎを前記基準垂直面ＶＰ１に平行にした状態と定義される。
【００２１】
前記シャフト軸線ＳＬは、対象となるヘッドにシャフトＳが装着されている場合、そのシャフトＳの軸中心線ＳＬとする。シャフトＳが屈曲している場合、その軸中心線ＳＬは、ゴルフ規則「付属規則II、２．ａ  直線性」に規定された「グリップの上端からソール
面の上方５インチ（１２７mm）以内の１点までの真っ直ぐな部分」のみを対象として定める。またヘッド１にシャフトが装着されていない場合、ヘッド１に設けられたシャフトを取り付けるためのシャフト差込孔４ｆの孔中心線を基準とする。なお、前記「三等分」は、基準状態における平面視（図３）において、ヘッド１のトウ端とヒール端との間の長さＦＬを前記基準垂直面ＶＰ１と平行な２つの垂直面ＶＰ２、ＶＰ３により三等分されるものとする。
【００２２】
前記各棒状部材３は、間欠的に設けられるため、ヘッド重量を過度に増大させることがなく、かつ、トウ側領域Ｔ、ヒール側領域Ｈ及び中間領域Ｃをバランス良くヘッド本体２の背面４ｅ側から補強できる。このような棒状部材３は、ボールの打点位置がトウ、ヒール方向に変化した場合でも、ヘッド１の振動を満遍なく吸収、緩和し、良好な打球感と安定した転がり距離とを提供しうる。また、棒状部材３により、ヘッドの慣性モーメント及び重心深度をより大きくする。したがって、打点位置のバラツキによるヘッドのブレが減じられ、ボールの方向性や転がり距離が安定する。
【００２３】
なお棒状部材３が、トウ側の棒状部材３ｔ及びヒール側の棒状部材３ｈのみで構成されたような場合には、フェース中央部の重量が相対的に小さくなって、その部分が低剛性化しやすい。このようなヘッドは、フェース中央部で打撃した場合、その振動が十分に棒状部材３で吸収緩和されず、打球感を損ねやすい。つまり、打点位置によって打球感及びボールの転がり距離が大きく異なる。逆に、棒状部材３が、中間の棒状部材３ｃのみで構成される場合、トウ側部、ヒール側部に比して中間部の重量が相対的に大きくなる。このようなヘッドは、ヘッド重心周りの慣性モーメントが小さくなる傾向があるため、打点位置によってボールの方向性及び転がり距離にバラツキが生じる。
【００２４】
また棒状部材３を構成する前記高比重材料はヘッド本体２よりも比重が大きい材料であれば特に限定はされないが、好ましくはタングステン、タングステン合金、銅合金、ニッケル合金などを用いることができる。特に好ましくは、高比重材料として、比重が５．０以上、より好ましくは６．０以上、さらに好ましくは７．０以上の金属材料を用いるのが望ましい。なお、比重が大きすぎても、材料の加工性や生産性が低下し易くなるため、高比重材料の比重は、好ましくは１３．０以下、より好ましくは１２．０以下、さらに好ましくは１１．０以下が望ましい。なお棒状部材３は、本実施形態のように中実体で構成されるのが重量を確保する上で望ましい。
【００２５】
本実施形態の棒状部材３は、後端部の面取部を除いて実質的に同一の断面積（軸方向と直角な断面の面積）で軸方向にのびている。各棒状部材３の各々の先端部は、ヘッド本体２の前記背面４ｅに設けられた取付孔６に挿入されており、例えば接着剤等によって固着される。この実施形態において、各棒状部材３の前記先端面３Ａは、ヘッド前後方向において実質的に同じ位置にある。また各々の棒状部材３の断面積は実質的に同一のものが示されている。換言すれば、各棒状部材３がヘッド本体２に挿入されている長さはいずれも等しい。
【００２６】
また、本実施形態の棒状部材３は、いずれも断面が円形（図２参照）で構成されたものが示される。棒状部材３の断面形状は、円形に限定されるものではなく、例えば楕円形状、矩形状、多角形状など種々の形状を含む。ただし、棒状部材３の断面が偏平化していくと、打球時に棒状部材自体が振動しやすくなって打球感を損ねるおそれがある。このような観点より、棒状部材３の断面は、その最大外径Ｄａと、該最大外径と直交方向の外径Ｄｂとの比（Ｄｂ／Ｄａ）で表されるアスペクト比が、好ましくは０．３以上、より好ましくは０．５以上、さらに好ましくは０．８以上、特に好ましくは０．９以上、さらに好ましくは１．０であるのが望ましい。
【００２７】
また、棒状部材３の最大外径Ｄａも特に限定はされないが、小さすぎると打球時のヘッド１の振動を十分に抑制できない傾向がある。このような観点より、棒状部材３の最大外径Ｄａは、フェース面Ｆの最大厚さｔｆの０．２５倍以上、より好ましくは０．３５倍以上が望ましい。他方、棒状部材３の最大外径Ｄａが大きすぎても、ヘッドの重量を著しく増大させるため、その上限は、好ましくはフェース面Ｆの最大厚さｔｆの１．０倍以下、より好ましくは０．９０倍以下が望ましい。
【００２８】
また本実施形態の各棒状部材３は、ヘッド本体２の背面４ｅから各棒状部材３の後端３Ｂまでの突出長さが下記の関係を満足している。
０．６≦Ｌｔ／Ｌｃ≦４．０
０．６≦Ｌｈ／Ｌｃ≦４．０
ただし、Ｌｔはトウ側の棒状部材３ｔの突出長さ（mm）、Ｌｃは中間の棒状部材３ｃの突出長さ（mm）及びＬｈはヒール側の棒状部材３ｈの突出長さ（mm）である。
【００２９】
前記比（Ｌｔ／Ｌｃ）又は（Ｌｈ／Ｌｃ）が、０．６未満になると、トウ側又はヒール側の棒状部材３ｔ、３ｈの突出長さが、中間の棒状部材３ｃに比して著しく小さくなり、ヘッド１の慣性モーメントが小さくなる傾向があり、逆に４．０を超えると、中間の棒状部材３ｃの突出長さが相対的に小さくなり、振動や打球感にバラツキが生じやすくなる。特に好ましくは、前記比（Ｌｔ／Ｌｃ）及び（Ｌｈ／Ｌｃ）は、より好ましくは１．０以上、さらに好ましくは１．３以上、特に好ましくは２．５以上である。また上限については、より好ましくは１．８以下が望ましい。
【００３０】
具体的な値で述べると、各棒状部材３の突出長さＬｔ、Ｌｈ及びＬｃについては、慣性モーメントを増大させるために、好ましくは２０mm以上、より好ましくは２５mm以上、さらに好ましくは３０mm以上である。他方、各棒状部材３の突出長さＬｔ、Ｌｈ及びＬｃが大きすぎても、フォロースルー時に棒状部材３がグリーン面に干渉しやすくなるため、その上限については、好ましくは１２０mm以下、より好ましくは１１０mm以下、さらに好ましくは１００mm以下が望ましい。
【００３１】
また本実施形態の各棒状部材３は、ヘッド本体２の背面４ｅから後端までの突出部の重量（従って、ヘッド本体２に埋設されている部分の重量は含めない。）が下記の関係を満足している。
０．６≦Ｗｔ／Ｗｃ≦４．０
０．６≦Ｗｈ／Ｗｃ≦４．０
ただし、Ｗｔはトウ側の棒状部材３ｔの突出部重量（ｇ）、Ｗｃは中間の棒状部材３ｃの突出部重量（ｇ）及びＷｈはヒール側の棒状部材３ｈの突出部重量（ｇ）である。
【００３２】
前記比（Ｗｔ／Ｗｃ）又は（Ｗｈ／Ｗｃ）が、０．６未満になると、ヘッド１のトウ側又はヒール側の重量が、中間部分に比して著しく小さくなってヘッド１の慣性モーメントが小さくなる傾向があり、逆に４．０を超えると、ヘッド中間部の重量が相対的に減じられ、振動や打球感にバラツキが生じやすくなる。特に好ましくは、前記比（Ｗｔ／Ｗｃ）及び（Ｗｈ／Ｗｃ）は、より好ましくは１．０以上、さらに好ましくは１．３以上、特に好ましくは２．５以上である。また上限については、より好ましくは１．８以下が望ましい。
【００３３】
さらに、本実施形態のヘッド１は、トウ側の棒状部材３ｔ及びヒール側の棒状部材３ｈの各々の突出長さＬｔ、Ｌｈは、前記中間の棒状部材３ｃの突出長さＬｃよりも大きく、かつ前記トウ側の棒状部材３ｔ及びヒール側の棒状部材３ｈの後端３Ｂが、前記中間の棒状部材３ｃの後端３Ｂよりもヘッド後方に位置する態様が示される。また、この例では、突出長さＬｔとＬｈとが実質的に同じに構成されている。
【００３４】
このようなヘッド１では、図３に示されるように、基準状態の平面視において、各棒状部材３の突出部重量Ｗｔ、Ｗｃ及びＷｈの各重心Ｇｔ、Ｇｃ及びＧｈがフェース面Ｆ側に凸となる略二等辺三角形のそれぞれの頂点に配置されるため、スイートスポットが大きくなり、衝撃吸収性が向上する。さらに、ボールの直進性が高まり、転がりの良い球を打ち出すことができる利点がある。
【００３５】
また本実施形態のヘッド１は、図４及び図５に示されるように、前記基準状態において、各棒状部材３が、前記基準垂直面ＶＰ１と直角かつ軸中心線が水平面ＨＰと平行にのびている。さらに、図４（Ｂ）に示されるように、前記トウ側及びヒール側の棒状部材３ｔ、３ｈの突出部重量Ｗｔ、Ｗｈの各重心Ｇｔ、Ｇｈは、前記中間の棒状部材３ｃの突出部重量Ｗｃの重心よりもソール側にあるものが例示される。このようなヘッド１では、基準状態における正面または背面視において、各棒状部材３の突出部重量の重心Ｇｔ、Ｇｃ及びＧｈが上向きに凸となる略二等辺三角形状のそれぞれの頂点に配置されるため、ヘッドの安定性が増し、ストロークがスムーズに行われる。また打点のバラツキにも強く、安定したボールの転がりを生むという利点がある。
【００３６】
また各棒状部材３は、ヘッド本体２の外部に露出している。このため、アドレス時、その長手方向をボールを転がす方向と平行に合わせる際の目印として用いることができる。従って、本実施形態のヘッド１は、プレーヤに正確にアドレスを行わせるのに役立つ。
【００３７】
ヘッド１の全重量については、特に限定されないが、ヘッド重心周りの慣性モーメントを増大させてストロークを安定させるためには、好ましくは２９０ｇ以上、より好ましくは３００ｇ以上、さらに好ましくは３１０ｇ以上が望ましい。他方、ヘッド１の全重量が大きすぎると重くなって振りづらくなるため、好ましくは４２０ｇ以下、より好ましくは４１０ｇ以下、さらに好ましくは４００ｇ以下が望ましい。
【００３８】
この際、前記中間領域Ｃの重量を、ヘッド１の全重量の２０％以上、より好ましくは２２％以上、さらに好ましくは２４％以上に設定することが望ましい。中間領域Ｃの重量がヘッド全重量の２０％未満であると、中間領域Ｃに含まれるフェース面Ｆで打撃した場合にボールの打球時の衝撃力が緩和されにくくなる傾向がある。他方、中間領域Ｃが占める重量が大きくなりすぎても、ヘッドの慣性モーメントを増大させる効果が少なくなる。このような観点より、中間領域Ｃの重量は、ヘッド１の全重量の３２％以下、より好ましくは３０％以下、さらに好ましくは２８％以下であることが望ましい。
【００３９】
また基準状態において、ヘッド１の重心を通る垂直軸周りの慣性モーメントは、打球の方向性とストロークを安定させるために、好ましくは４０００ｇ・cm2 以上、より好ましくは４８００ｇ・cm2 以上、さらに好ましくは５１００ｇ・cm2 以上である。なおヘッド１の全重量は上述の理由により自ずと規制されるため、慣性モーメントの上限については例えば２００００ｇ・cm以下、好ましくは１００００ｇ・cm2 以下、さらに好ましくは７０００ｇ・cm2 以下が望ましい。
【００４０】
図６には、本発明の他の実施形態が示される。この実施形態のヘッド１は、棒状部材３の少なくとも１本、この例では突出長さが大きいトウ側の棒状部材３ｔ及びヒール側の棒状部材３ｈは、基準状態における側面視において、ヘッド後方に向かって上部側に折れ曲がった第１の湾曲部Ｙを含むものが例示される。本実施形態の第１の湾曲部Ｙは、曲率半径Ｒで滑らかな円弧状をなすものが例示される。パッティング時、ボールを打球（パッティング）したヘッドは、フォロースルーによって前方に送り出される。このとき、ヘッドはゴルファの手首近傍を中心とした円弧運動に近似した動きになりやすいため、突出長さが大きい棒状部材３ｔ、３ｈは、フォローフルー時にグリーンと干渉しやすくなる。本実施形態のヘッドは、棒状部材３の後端側に上側に湾曲した第１の湾曲部Ｙを含んでいるため、上述の干渉を防止して円滑なバッティングストロークを実現できる。
【００４１】
また図７には、さらに本発明の他の実施形態が示される。
この実施形態では、トウ側の棒状部材３ｔ及びヒール側の棒状部材３ｈは、基準状態における平面視において、前記中間の棒状部材３ｃから離れる向きに折れ曲がる第２の湾曲部Ｚを含むものが例示される。本実施形態の第２の湾曲部Ｙは、曲率半径Ｒで滑らかな円弧状をなすものが例示される。このような第２の棒状部材３ｔ、３ｈは、各々の棒状部材３ｔ、３ｈの突出部重量の重心を中間の棒状部材３ｃからより遠ざけて位置させることができ、ヘッドの重心を通る垂直軸周りの慣性モーメントを増大させるのに役立つ。なお棒状部材３は、この第２の湾曲部Ｚと、前記第１の湾曲部Ｙとを共に具えても良い。
【００４２】
以上本発明の実施形態について説明したが、棒状部材３は３本に限定されるものではなく、少なくとも各領域に１本の棒状部材が設けられていれば良い。またヘッド本体の形状についても種々変形しうるのは言うまでもない。
【実施例】
【００４３】
本発明の効果を確認するために、表１の仕様に基づいて複数種類のパター型ゴルフクラブヘッドを試作し、各々について実打テストを行った。いずれのヘッドも、ヘッド本体には、アルミニウム合金（比重２．７）が、棒状部材にはステンレス（比重７．８）がそれぞれ用いられた。また、実打テストは、１０名のゴルファ（ハンディキャップ１５〜２５）により、各供試クラブでそれぞれ５ｍ先のカップを目標として１０球づつゴルフボール（ＳＲＩスポーツ社製「ＨＩ−ＢＲＩＤ  Ｅｖｅｒｉｏ」）をパッティングすることにより行われた。具体的なテスト内容及び評価の基準は次の通りである。
【００４４】
＜衝撃性＞
１０球のパッティング結果に基づいて、手に感じた衝撃を採点した。評価は、各々のゴルファの採点値の平均点とした。数値が大きいほど良好である。
５：衝撃がきわめて小さい
４：衝撃が小さい
３：普通
４：衝撃が大きい
１：衝撃がきわめて大きい
【００４５】
＜衝撃性のバラツキ＞
意図的にトウ、ヒール方向に打点位置をずらせながら１０球のパッティングを行い、その結果に基づいて、手に感じた衝撃のバラツキを採点した。評価は、各々のゴルファの採点値の平均点とした。数値が大きいほど良好である。
５：衝撃のバラツキがきわめて小さい
４：衝撃のバラツキが小さい
３：普通
４：衝撃のバラツキが大きい
１：衝撃のバラツキがきわめて大きい
【００４６】
＜打球の転がり距離のバラツキ＞
目標カップに向かってパッティングした１０球の転がり距離をそれぞれ測定し、最大転がり距離から最小転がり距離を差し引いた距離の最大のバラツキを測定した。評価は、各々のゴルファの採点値の平均点とした。数値が小さいほど良好である。
【００４７】
＜打球の方向性＞
打撃した１０球について、目標ラインと直角に左方向及び右方向の最大ぶれ量を測定し、両者の和である最大のぶれ量を求めた。評価は、各々のゴルファの採点値の平均点とした。数値が小さいほど良好である。テストの結果等を表１に示す。
【００４８】
【表１】
2006075430.tif 000003
【００４９】
テストの結果、実施例のヘッドは、打球感が良く、安定した転がり距離が得られることが確認できた。総合評価においても満足のゆく結果が得られた。
【図面の簡単な説明】
【００５０】
【図１】本発明の実施形態を示すヘッドのフェース面側から見た斜視図である。
【図２】本発明の実施形態を示すヘッドの背面から見た斜視図である。
【図３】その平面図である。
【図４】（Ａ）は図１の正面図、（Ｂ）は同背面図である。
【図５】図１の側面図である。
【図６】本発明の他の実施形態を示す基準状態における側面図である。
【図７】本発明の他の実施形態を示す基準状態における平面図である。
【符号の説明】
【００５１】
１  パター型ゴルフクラブヘッド
２  ヘッド本体
４  主部
４ｅ  背面
５  副部
３  棒状部材
３ｔ  トウ側の棒状部材
３ｃ  中間の棒状部材
３ｈ  ヒール側の棒状部材
Ｆ  フェース面
【図１】
2006075430.tif 000004
【図２】
2006075430.tif 000005
【図３】
2006075430.tif 000006
【図４】
2006075430.tif 000007
【図５】
2006075430.tif 000008
【図６】
2006075430.tif 000009
【図７】
2006075430.tif 000010
【手続補正書】
【提出日】平成17年8月1日(2005.8.1)
【手続補正１】
【補正対象書類名】明細書
【補正対象項目名】００４８
【補正方法】変更
【補正の内容】
【００４８】
【表１】
2006075430.tif 000011